(57)【要約】【課題】  光ピックアップ組立体及びこれを採用したディスクドライブを提供する。【解決手段】  ピックアップベースと、ディスクに光を照射する対物レンズが装着されたブレードを具備するアクチュエータと、アクチュエータを覆い包むように設置されてブレードの上方への可動範囲を規制するカバーと、カバーの内側に突設され、ディスクの回転時に発生する渦流を小規模の複数個の渦流に分けることによりブレードに作用する外乱を減衰する減衰部と、を具備する光ピックアップ組立体。【選択図】  図４
2005196939.tif 000002
【特許請求の範囲】
【請求項１】
ピックアップベースと、
前記ピックアップベースに設置されてディスクに光を照射する対物レンズが装着されたブレードを具備するアクチュエータと、
前記アクチュエータを覆い包むように設置されて前記ブレードの上方への可動範囲を規制するカバーと、
前記カバーの内側に突設され、前記ディスクの回転時に発生する渦流を小規模の複数個の渦流に分けることにより前記ブレードに作用する外乱を減衰する減衰部と、を具備することを特徴とする光ピックアップ組立体。
【請求項２】
前記減衰部は、
前記カバーの少なくともいずれか一つの内側壁に複数の突起が配置されていることを特徴とする請求項１に記載の光ピックアップ組立体。
【請求項３】
前記減衰部は、
前記カバーの少なくともいずれか一つの内側壁に複数の突起がジグザグに配置されていることを特徴とする請求項１に記載の光ピックアップ組立体。
【請求項４】
前記複数の突起は、相互対向する前記内側壁に相互対称になるようにそれぞれ配置されていることを特徴とする請求項２または請求項３に記載の光ピックアップ組立体。
【請求項５】
前記突起は、
前記ディスクの回転方向に平行な前記カバーの内側壁に形成されていることを特徴とする請求項２または請求項３に記載の光ピックアップ組立体。
【請求項６】
メインフレームと、ディスクの半径方向に摺動しつつ前記ディスクに／からデータを記録／再生する光ピックアップ組立体と、前記ディスクを装着して前記メインフレームに着脱自在に設置されるトレイと、を具備するディスクドライブにおいて、
前記光ピックアップ組立体は、
ピックアップベースと、
前記ピックアップベースに設置されてディスクに光を照射する対物レンズが装着されたブレードを具備するアクチュエータと、
前記アクチュエータを覆い包むように設置されて前記ブレードの上方への可動範囲を規制するカバーと、
前記カバーの内側に突設されて、前記ディスクの回転時に発生する渦流を小規模の複数個の渦流に分けることによって前記ブレードに作用する外乱を減衰する減衰部と、を具備することを特徴とするディスクドライブ。
【請求項７】
前記減衰部は、
前記カバーの少なくともいずれか一つの内側壁に複数の突起が配置されていることを特徴とする請求項６に記載のディスクドライブ。
【請求項８】
前記減衰部は、
前記カバーの少なくともいずれか一つの内側壁に複数の突起がジグザグに配置されていることを特徴とする請求項６に記載のディスクドライブ。
【請求項９】
前記複数の突起は相互対向する前記内側壁に相互対称になるようにそれぞれ配置されていることを特徴とする請求項８に記載のディスクドライブ。
【請求項１０】
前記突起は、
前記ディスクの回転方向に平行な前記カバーの内側壁に形成されていることを特徴とする請求項８に記載のディスクドライブ。
【請求項１１】
前記複数の突起は相互対向する前記内側壁に相互対称になるようにそれぞれ配置されていることを特徴とする請求項７に記載のディスクドライブ。
【請求項１２】
前記突起は、
前記ディスクの回転方向に平行な前記カバーの内側壁に形成されていることを特徴とする請求項７に記載のディスクドライブ。
【発明の詳細な説明】
【技術分野】
【０００１】
本発明は光ピックアップ組立体に係り、より詳細にはディスク回転時に発生する空気流動による渦流を減少させるように形状が改善されたアクチュエータを具備する光ピックアップ組立体に関する。
【背景技術】
【０００２】
一般に、光ピックアップ組立体は、対物レンズを通じて記録媒体であるディスクに／から光を照射／受光して情報を記録／再生する装置である。
【０００３】
図１は、従来の光ピックアップ組立体の構成を概略的に示した分離斜視図であり、図２はディスクの回転時に光ピックアップ組立体に発生する渦流を示した側面図であり、図３は図２に図示された渦流を示した平面図である。
【０００４】
図１を参照すれば、光ピックアップ組立体は、ディスクの半径方向に摺動自在に設置されるピックアップベース１１と、ピックアップベース１１の上部に設置されるヨークプレート１３に固定されているホルダ１４内の複数のサスペンション１５に支持されており、その上部に対物レンズ１６を装着しているブレード１７と、ヨークプレート１３に所定間隔をおいて設置されてブレード１７をトラッキングまたはフォーカシングさせるマグネット１８とを具備するアクチュエータ１２と、アクチュエータ１２を覆い包むように設置され、その上側に対物レンズ１６から照射された光が通過できるホール１９ａが形成されており、ブレード１７のディスク側への可動範囲を制限するカバー１９と、を具備する。
【０００５】
カバー１９は、ヨークプレート１３に固設されてマグネット１８との相互作用によりディスク側に動くブレード１７の可動範囲を制限するためのものであり、もしカバーがなければ対物レンズ１６はディスクに接触して、対物レンズ１６が破損したり、またはディスクの情報面に傷が出る問題が発生しうる。
【０００６】
一方、図２及び図３を参照すれば、光ピックアップ組立体による情報の記録及び再生は、回転するディスクＤで光ピックアップ組立体がディスクＤと一定間隔（ワーキングディスタンス）を維持しつつディスクＤの半径方向に直線往復動してなされる。
【０００７】
したがって、ディスクＤが回転しつつディスクＤとアクチュエータ１２間には不均一な速度差を持つ空気の流れが発生する。すなわち、ディスクＤに隣接した空気はディスクＤの回転速度と類似した速度を持つが、アクチュエータ１２側へ行くほどその速度は減少する。このような空気流動の速度差はアクチュエータ１２上に渦流Ｓを発生させる。
【０００８】
ディスクの回転速度が高倍速になるほど、かつディスクＤとアクチュエータ１２間の間隔が狭くなるほどベルヌーイの定理により空気流動の流速が増加し、これに伴い前記渦流Ｓは大きくなる。
【０００９】
このような渦流は、カバー１９の上側に形成されているホール１９ａを通じてその内部に入ってブレード１７に非対称力として作用するか、または外乱として作用する。それにより、ブレード１７は外乱によって上下方向に振動してブレード１７のフォーカシングまたはトラックキング動作を妨害し、情報の記録及び再生動作が円滑になされなくなる。
【００１０】
特に、渦流Ｓによって発生する振動数及びアクチュエータ１２の固有振動数が共振を起こせばアクチュエータ１２に対する外乱はさらに大きくなる。
【発明の開示】
【発明が解決しようとする課題】
【００１１】
本発明は前記問題点を勘案してなされたものであり、ディスクの回転時に発生してアクチュエータに影響を及ぼす外乱を減少させうる光ピックアップ組立体を提供するところにその目的がある。
【課題を解決するための手段】
【００１２】
前記目的を達成するために、本発明の光ピックアップ組立体は、ピックアップベースと、前記ピックアップベースに設置されてディスクに光を照射する対物レンズが装着されたブレードを具備するアクチュエータと、前記アクチュエータを覆い包むように設置されて前記ブレードの上方への可動範囲を規制するカバーと、前記カバーの内側に突設され、前記ディスクの回転時に発生する渦流を小規模の複数個の渦流に分けることにより前記ブレードに作用する外乱を減衰する減衰部と、を具備する。
【発明の効果】
【００１３】
本発明による光ピックアップ組立体及びこれを適用したディスクドライブは、カバーに減衰部を備えてディスクの回転時に発生する空気流動による渦流が小規模の複数の渦流に分けられてブレードに及ぶ影響が減衰される効果がある。
【発明を実施するための最良の形態】
【００１４】
以下、添付した図面を参照して本発明の望ましい実施例について詳細に説明する。
【００１５】
図４を参照すれば、本発明によるディスクドライブ１００は、メインフレーム１１０と、前記メインフレーム１１０に出入自在に設置されてディスクＤが載置されるトレイ１２０と、前記メインフレーム１１０に上下に回動自在に設置されるサブフレーム１３１に支持されているベースシャーシ１３０と、を含む。
【００１６】
前記ベースシャーシ１３０には、前記トレイ１２０に載置されて前記メインフレーム１１０内部に運搬された前記ディスクＤが載置されるターンテーブル１３２と、前記ターンテーブル１３２に載置された前記ディスクＤの半径方向に摺動しつつ前記ディスクＤに／からデータを記録／再生する光ピックアップ組立体１４０と、が設置される。前記ターンテーブル１３２はスピンドルモータ（図示せず）によって回転させられる。
【００１７】
図５を参照すれば、前記光ピックアップ組立体１４０は、ピックアップベース１４１、前記ピックアップベース１４１の上側に載置されるヨークプレート１４３上に所定間隔をおいて固設される複数のマグネット１４８、及び前記ヨークプレート１４３の一側に固定されているホルダ１４４に一端が固定されており、その他端は対物レンズ１４６が装着されたブレード１４５を支持する複数のサスペンションワイヤ１４７を具備するアクチュエータ１４２、前記アクチュエータ１４２を覆い包むように設置されて前記ブレード１４５の上方への可動範囲を規制するものであって、上側に光が通過する貫通ホール１４９ａが形成されているカバー１４９と、前記カバー１４９の内側に設けられて前記ディスクＤの回転時に発生する渦流を複数の小さな渦流に分離する減衰部１５０と、を具備する。
【００１８】
図６を参照すれば、本発明の第１実施例による減衰部１５０は、前記カバー１４９の上側から下方に所定距離離隔されてその内側壁１４９ｂに複数の突起１５１が一列に配置されている。前記減衰部１５０は、前記内側壁１４９ｂのうち、いずれか一つに設置されうる。
【００１９】
図７及び図８を参照すれば、本発明の第２実施例による減衰部１６０は、前記カバー１４９の上側から下方に所定距離離隔されてその内側壁１４９ｂに複数の突起１６１が配置されている。前記突起１６１はジグザグ形態に複数列が交互に配置されている。
【００２０】
前記突起１５１，１６１の形状は三角形状になっているが、必ずしもこれに限定されるものではなく方形、台形、円錘形など多様な形態の変形例が可能である。また、前記減衰部１５０，１６０は前記カバー１４９の内側壁１４９ａに突設されて小さな規模の複数の渦流を形成するものであれば多様な形態の変形例が可能である。
【００２１】
前記突起１５１，１６１は、前記ディスクＤの回転方向に平行に位置する前記カバー１４９の前記内側壁１４９ａに形成されることが望ましい。これは、前記減衰部１５０，１６０が前記ディスクＤの回転時に発生する渦流の規模を縮小させることによってその影響を減衰することを目的としているからである。
【００２２】
図９を参照すれば、本発明の第１実施例による前記減衰部１５０が適用された前記カバー１４９上に前記ディスクＤが回転しつつ空気が流動して渦流Ｓが発生する。この時に発生する渦流Ｓは従来のカバーに発生する渦流（図３参照）と違って、前記複数の突起１５１に衝突しつつ規模が小さな複数の渦流に分けられて形成されていることが分かる。
【００２３】
これは、前記ディスクＤの回転時に空気の流動によって発生する渦流Ｓが前記カバー１４９内で前記突起１５１と衝突して隣接する前記突起１５１との間に形成された空間にうずを巻きつつ分けられて複数の渦流Ｓが形成されることである。
【００２４】
図１０は、本発明の第３実施例による減衰部が適用されたカバーを示した斜視図であり、図１１は、本発明の第４実施例による減衰部が適用されたカバーを示した斜視図であり、図１２は、本発明の第３実施例による減衰部が適用された時に発生する渦流を示した平面図である。
【００２５】
図１０を参照すれば、前記カバー１４９の相互対向する内側壁１４９ａには、図５に図示された第１実施例と同じ形状の複数の突起１５１が相互対向するようにそれぞれ一列に配置されている。
【００２６】
図１１を参照すれば、前記カバー１４９の相互対向する内側壁１４９ａには、図７に図示された第２実施例と同じ形状の複数の突起１６１が相互対向するようにジグザグ形態に複数列で配置されている。
【００２７】
図１２を参照すれば、前記複数の突起１５１が相互対向するように配置されることによって、前記ディスクＤの回転時に発生する渦流Ｓが相互対向する前記内側壁１４９ａに形成された前記突起１５１に衝突しつつ前記第１実施例及び前記第２実施例よりもさらに容易に小規模の複数の渦流Ｓに分けられて形成される。
【００２８】
このように前記突起１５１，１６１によって形成される小規模の複数の渦流Ｓは、一つに形成される規模の大きい渦流よりも前記ブレード１４５（図５参照）に及ぼす力が分散されて弱くなり、前記アクチュエータ１４２が前記ブレード１４５（図５参照）を調整するのに影響をあまり及ぼさなくなる。
【産業上の利用可能性】
【００２９】
本発明は光記録媒体に／から情報を記録／再生する光ピックアップ組立体を備えるディスクドライブに適用できる。
【図面の簡単な説明】
【００３０】
【図１】従来の光ピックアップ組立体の構成を概略的に示した分離斜視図である。
【図２】ディスクの回転時に光ピックアップ組立体に発生する渦流を示した側面図である。
【図３】図２に図示された渦流を示した平面図である。
【図４】本発明による光ピックアップ組立体が適用されるディスクドライブの概略的な構成を示した斜視図である。
【図５】本発明の第１実施例による減衰部が適用された光ピックアップ組立体を示した分離斜視図である。
【図６】図５に図示されたI−I線の断面図である。
【図７】本発明の第２実施例による減衰部が適用された光ピックアップ組立体を示した分離斜視図である。
【図８】図７に図示されたII−II線の断面図である。
【図９】本発明の第１実施例による減衰部が適用された時に発生する渦流を示した平面図である。
【図１０】本発明の第３実施例による減衰部が適用されたカバーを示した斜視図である。
【図１１】本発明の第４実施例による減衰部が適用されたカバーを示した斜視図である。
【図１２】本発明の第３実施例による減衰部が適用された時に発生する渦流を示した平面図である。
【符号の説明】
【００３１】
１００  ディスクドライブ
１１０  メインフレーム
１２０  トレイ
１３０  ベースシャーシ
１３１  サブフレーム
１３２  ターンテーブル
１４０  光ピックアップ組立体
Ｄ  ディスク
【図１】
2005196939.tif 000003
【図２】
2005196939.tif 000004
【図３】
2005196939.tif 000005
【図４】
2005196939.tif 000006
【図５】
2005196939.tif 000007
【図６】
2005196939.tif 000008
【図７】
2005196939.tif 000009
【図８】
2005196939.tif 000010
【図９】
2005196939.tif 000011
【図１０】
2005196939.tif 000012
【図１１】
2005196939.tif 000013
【図１２】
2005196939.tif 000014